(57)【要約】【課題】  衣類収納袋がバッグ本体内に入れたその他の収納物と入り混ざってしまうことがなく、さらに衣類収納袋とバッグ本体内に入れたその他の収納物とは隔離することができ、また汚れた衣類の量が多い少ないにかかわらずバッグ本体の形状が変形することのないバッグを提供する。【解決手段】  バッグ本体１の一側部１ａに設けたポケット２内部に、衣類収納袋３を出し入れ自在に収納したものとしており、前記バッグ本体１は、内部を収納部Ｓ1 とし、前記ポケット２は、バッグ本体１の一側部１ａと、この一側部１ａに沿わせて取り付けた内生地８により空間部Ｓ2 を形成し、この内生地８をだぶつかせることにより空間部Ｓ2 を拡大したり縮小できるようにしている。【選択図面】    図２
2005304957.tif 000002
【特許請求の範囲】
【請求項１】
バッグ本体（１）の一側部（１ａ）に設けたポケット（２）内部に、衣類収納袋（３）を出し入れ自在に収納したものとしており、前記バッグ本体（１）は、内部を収納部（Ｓ1 ）とし、前記ポケット（２）は、バッグ本体（１）の一側部（１ａ）と、この一側部（１ａ）に沿わせて取り付けた内生地（８）により空間部（Ｓ2 ）を形成し、この内生地（８）をだぶつかせることにより空間部（Ｓ2 ）を拡大したり縮小できるようにしたことを特徴とするバッグ。
【請求項２】
前記ポケット（２）は、衣類収納袋（３）が空のときは、押しつぶされて平たくなって空間部（Ｓ2 ）が縮小するようにしており、衣類収納袋（３）に汚れた衣類（Ｗ）を入れたときは、膨らんで空間部（Ｓ2 ）が拡大するようにしたことを特徴とする請求項１記載のバッグ。
【請求項３】
前記衣類収納袋（３）を、ネット地からなる洗濯用袋としたことを特徴とする請求項１記載のバッグ。
【請求項４】
前記衣類収納袋（３）を、開口部（１１）に設けた一方のファスナ片（Ｆ5 ）と他方のファスナ片（Ｆ5 ）を、これらファスナ片（Ｆ5 ）の一方に取り付けたスライダ（１２）で引っ付けたり外したりすることにより、その開口部（１１）を開閉自在としたことを特徴とする請求項１記載のバッグ。
【請求項５】
前記ポケット（２）が、開口部（６）の内側に沿ってファスナ片（Ｆ3 ）が設けられると共に、内生地（８）の前記ファスナ片（Ｆ3 ）に対向する位置にファスナ片（Ｆ4 ）が設けられ、これらファスナ片（Ｆ3 ）またはファスナ片（Ｆ4 ）の一方にはスライダ（１０）を取り付けたものとし、ファスナ片（Ｆ3 ）と前記衣類収納袋（３）の一方のファスナ片（Ｆ5 ）を、前記スライダ（１０）で着脱自在とし、前記ファスナ片（Ｆ4 ）と前記衣類収納袋（３）の他方のファスナ片（Ｆ5 ）を、前記スライダ（１２）で着脱自在としたことを特徴とする請求項４記載のバッグ。
【発明の詳細な説明】
【技術分野】
【０００１】
この発明は、出張や旅行、合宿などに持って行って着替えた衣類を、その他の収納物と隔離して持って帰るのに適したバッグに関するものである。
【背景技術】
【０００２】
従来、出張や旅行、合宿などに使用されるバッグとしては、ボストンバッグ、スポーツバッグ、ショルダーバッグ、背負いバッグなどがある。
【０００３】
上記したバッグに着替えの衣類を入れるには、バッグの内部を区分けした構造のバッグを使用するのが、衣類とその他の収納物の区別がつき好ましい。このようなバッグとしては、例えば図９や図１０に示したようなものが存在する。
【０００４】
図９に示したバッグは、二つの隔室２１、２２と、その内部に設けられているポーチ２３からなり、このポーチ２３と外側覆い部２４が、出し入れのための二つの第１、第２開口部２５、２６を形成している。これら開口部２５、２６は、第１、第２ファスナ２７、２８によって互いに独立して閉鎖されている。前記ポーチ２３は、前記外側覆い部２４の一方の側部２９ａおよび頂部３０と一体化されており、前記第１開口部２５のリップ部が前記第１ファスナ２７により接合されている。一方、前記外側覆い部２４の他方の側部２９ｂに前記第２開口部２６が形成されていて、その開口部２６のリップ部が前記第２ファスナ２８により接合されている（特許文献１）。
【０００５】
図１０に示したバッグは、中仕切り３２を有してその中仕切り３２の前後両側にそれぞれ物品収納部３３、３４を設けたバッグとし、中仕切り３２を中仕切り本体３２ａとその周縁部の所要個所に一体的に連設した耳部３２ｂ、３２ｂとによって構成し、その中仕切り本体３２ａを耳部３２ｂ、３２ｂを介してバッグ本体３１へ接合することによって、中仕切り本体３２ａをほぼ耳部３２ｂ、３２ｂの幅だけ前方または後方へ移動可能としている。したがって、図１０（ｂ）に示すように物品収納部３３、３４の一方へ入れる物品３５がその容積よりも大きくても、中仕切り３２の中仕切り本体３２ａを前後方向に移動させることにより、その物品の過剰な大きさ分を吸収することができる。これにより、中仕切り３２が物品３５に押されてマチ３６、３７が内側へ引っ張られることにより、それらの外面が凹んだり、後胴板３８が外側へ膨らむという現象を回避することができる（特許文献２）。
【０００６】
一方、家庭等において汚れた衣類を洗濯する場合に、衣類を収納してその衣類が傷まないようにするために工夫された各種の洗濯用袋が使用されている。このような洗濯用袋として、例えば図１１や図１２に示したようなものが存在する。
【０００７】
図１１に示した洗濯用袋は、センタ生地４１と、このセンタ生地４１の両側のサイド生地４２、４３とで二列の袋部４４、４５を有する洗濯袋Ａを形成し、両サイド生地４２、４３に掛着具４６により開閉する開口４７を設けたものとしている。このようにした洗濯用袋は、フックなどの金具付洗濯物とその他の洗濯物を二列の袋部に分けて収納することができ、金具による洗濯物の損傷をなくすことができるという効果を有している（特許文献３）。
【０００８】
図１２に示した洗濯用ネットは、埃を通さない網を袋体４８に縫合し、開閉自在の開口部４９ａ、４９ｂを二個所に設けることにより、袋体４８内部への埃の侵入および袋体４８内部の埃やゴミの流出を防ぐとともに、袋体４８内部に埃やゴミを貯めることなく清潔に使用できるものとしている（特許文献４）。
【特許文献１】特開平５−２６９０１４号公報（第２頁、図３）
【特許文献２】実用新案登録第３０６６７１３号公報（第２、６頁、図２、４）
【特許文献３】特開２０００−１６７２８７号公報（第２頁、図２）
【特許文献４】特開２００１−１２９２８９号公報（第２頁、図１）
【発明の開示】
【発明が解決しようとする課題】
【０００９】
ところで、出張先や旅行先、合宿先などで着替えて汚れた衣類を持って帰るときに、前記したような洗濯用袋に汚れた衣類を入れて、この洗濯用袋をバッグ本体内に収納することが行われている。
【００１０】
しかし、このようにしただけでは、バッグ本体内で区分けしていても、その洗濯用袋が移動して、バッグ本体内のその他の収納物と入り混じってしまって、洗濯用袋やその他の収納物が取り出し難くなったりするという問題点を有していた。
【００１１】
また、汚れた衣類の入った洗濯用袋とその他の収納物を、バッグ本体内で一緒にするのは不衛生であったり、その他の収納物を出し入れするときに、その洗濯用袋が目に付いて不快感を覚えるという問題点を有していた。
【００１２】
そのため、前記汚れた衣類を入れた洗濯用袋を、バッグ本体内ではなく、バッグ本体の側部に設けられたポケットに入れる場合がある。
【００１３】
しかし、この場合にも、ポケットはバッグ本体に比べ容積が小さいので、汚れた衣類の量が少ない場合には問題がないが、汚れた衣類の量が多い場合には洗濯用袋が膨れてそのポケットに入らなかったり、入ったとしてもポケットが一杯になって膨らみ、バッグ本体の形状が変形してバッグが不格好になるという問題点を有していた。
【００１４】
そこで、この発明は、上記従来の問題点を解決することをその課題としており、洗濯用袋などの衣類収納袋がバッグ本体内に入れたその他の収納物と入り混ざってしまうことがなく、さらに衣類収納袋とバッグ本体内に入れたその他の収納物とは隔離することができ、また汚れた衣類の量が多い少ないにかかわらずバッグ本体の形状が変形することのないバッグを提供することを目的としてなされたものである。
【課題を解決するための手段】
【００１５】
そのため、この発明のバッグは、バッグ本体１の一側部１ａに設けたポケット２内部に、衣類収納袋３を出し入れ自在に収納したものとしており、前記バッグ本体１は、内部を収納部Ｓ1 とし、前記ポケット２は、バッグ本体１の一側部１ａと、この一側部１ａに沿わせて取り付けた内生地８により空間部Ｓ2 を形成し、この内生地８をだぶつかせることにより空間部Ｓ2 を拡大したり縮小できるようにしている。
【００１６】
そして、この発明のバッグでは、前記ポケット２は、衣類収納袋３が空のときは、押しつぶされて平たくなって空間部Ｓ2 が縮小するようにしており、衣類収納袋３に汚れた衣類Ｗを入れたときは、膨らんで空間部Ｓ2 が拡大するようにしている。
【００１７】
さらに、この発明のバッグでは、前記衣類収納袋３を、ネット地からなる洗濯用袋とすることができる。
【００１８】
また、この発明のバッグでは、前記衣類収納袋３を、開口部１１に設けた一方のファスナ片Ｆ5 と他方のファスナ片Ｆ5 を、これらファスナ片Ｆ5 の一方に取り付けたスライダ１２で引っ付けたり外したりすることにより、その開口部１１を開閉自在とすることができる。
【００１９】
さらにまた、この発明のバッグでは、前記ポケット２が、開口部６の内側に沿ってファスナ片Ｆ3 が設けられると共に、内生地８の前記ファスナ片Ｆ3 に対向する位置にファスナ片Ｆ4 が設けられ、これらファスナ片Ｆ3 またはファスナ片Ｆ4 の一方にはスライダ１０を取り付けたものとし、ファスナ片Ｆ3 と前記衣類収納袋３の一方のファスナ片Ｆ5 を、前記スライダ１０で着脱自在とし、前記ファスナ片Ｆ4 と前記衣類収納袋３の他方のファスナ片Ｆ5 を、前記スライダ１２で着脱自在とすることができる。
【発明の効果】
【００２０】
この発明は、以上に述べたように構成されており、衣類収納袋がバッグ本体内に入れたその他の収納物と入り混ざってしまうことがないので、衣類収納袋やその他の収納物が取り出し易いものとなり、さらに衣類収納袋とバッグ本体内に入れたその他の物とは隔離することができるので衛生的であるとともに、その他の物を出し入れするときに、その衣類収納袋が目に付くことがなく不快感を覚えるようなこともなく、また汚れた衣類の量が多い少ないにかかわらずバッグ本体の形状が変形することがないので、バッグが不格好になるということもない。
【発明を実施するための最良の形態】
【００２１】
以下、この発明のバッグを実施するための最良の形態について、図面に基づき詳細に説明する。
【００２２】
この発明のバッグは、バッグ本体１の一側部１ａに設けたポケット２内部に、衣類収納袋３を出し入れ自在に収納したものとしている。
【００２３】
前記バッグ本体１は、図示したものでは、略円筒胴形状をしたスポーツバッグ型としており、その内部を収納部Ｓ1 としており、天面部１ｂには収納物の出し入れのための開口部４が形成され、この開口部４にはファスナ片Ｆ1 、Ｆ1 が設けられスライダ５によって開閉自在としたものとしている。
【００２４】
前記ポケット２は、バッグ本体１の一側部１ａと、この一側部１ａに沿わせて取り付けた内生地８により空間部Ｓ2 を形成し、この内生地８にヒダ８ａを設けるなどして、内生地８をだぶつかせることにより空間部Ｓ2 を拡大したり縮小できるようにしている。前記内生地８の上端は、バッグ本体１の一側部１ａと天面部１ｂとの縫着部９に一緒に縫着され、これらバッグ本体１の一側部１ａと天面部１ｂの境目に取り付けられている。また、内生地８の下端は、バッグ本体１の底面部１ｃの略中央部分に縫着され、このバッグ本体１の底面部１ｃに取り付けられている。そして、前記ポケット２の上部には、前記衣類収納袋３の出し入れのための開口部６が形成され、この開口部６にはファスナ片Ｆ2 、Ｆ2 が設けられスライダ７によって開閉自在としている。さらに、前記ポケット２の開口部６の内側に沿ってファスナ片Ｆ3 が設けられると共に、内生地８の前記ファスナ片Ｆ3 に対向する位置にファスナ片Ｆ4 が設けられ、これらファスナ片Ｆ3 またはファスナ片Ｆ4 の一方にはスライダ１０を取り付けたものとしている。
【００２５】
このようにしたポケット２は、衣類収納袋３が空のときは、図２に示したように押しつぶされて平たくなって空間部Ｓ2 が縮小するようにしており、衣類収納袋３に汚れた衣類Ｗを入れたときは、図３に示したように膨らんで空間部Ｓ2 が拡大するようにしている。なお、前記ポケット２は、図示したものでは、いっぱいに膨らんだ時の空間部Ｓ2 の容積が、バッグ本体１の収納部Ｓ1 の容積の約１／２になるようにしている。したがって、出張先や旅行先、合宿先などに持って行く衣類の分量が、バッグ本体１の収納部Ｓ1 の容積の約１／２を占めていても、その衣類が汚れた場合にポケット２内部に収納した衣類収納袋３にすべて収納することができる。
【００２６】
前記衣類収納袋３は、ネット地からなる洗濯用袋としたり、その他の通気性、非通気性の各種の生地からなるものとすることができ、洗濯用袋の場合には汚れた衣類を収納したまま洗濯機に放り込めばそのまま洗濯ができ、洗濯用袋以外の場合には汚れた衣類を袋内から取り出して洗濯機に放り込めば洗濯ができるものとしている。この衣類収納袋３は、図５に示したように、横長の平坦な略直方体形状とし、上部の開口部１１に設けた一方のファスナ片Ｆ5 と他方のファスナ片Ｆ5 を、これらファスナ片Ｆ5 の一方に取り付けたスライダ１２で引っ付けたり外したりすることにより、その開口部１１を開閉自在としている。また、図示した衣類収納袋３には、提手１３を取り付けたものとしている。
【００２７】
そして、この発明のバッグでは、前記ポケット２内部に、衣類収納袋３を出し入れ自在に収納するには、次のような構造にしている。
【００２８】
すなわち、前記ポケット２の開口部６の内側に沿って設けられたファスナ片Ｆ3 と前記衣類収納袋３の一方のファスナ片Ｆ5 を、前記スライダ１０で着脱自在とし、前記ポケット２の内生地８に設けられたファスナ片Ｆ4 と前記衣類収納袋３の他方のファスナ片Ｆ5 を、前記スライダ１２で着脱自在とすることにより、前記ポケット２内部に、衣類収納袋３を出し入れ自在に収納したものとしている。
【００２９】
そこで、このように構成したこの発明のバッグの使用状態について、次に説明する。
【００３０】
先ず、この発明のバッグは、図２に示したように、前記ポケット２のファスナ片Ｆ3 と衣類収納袋３の一方のファスナ片Ｆ5 をスライダ１０で閉じて両ファスナ片Ｆ3 、Ｆ5 を引っ付け、ポケット２のファスナ片Ｆ4 と衣類収納袋３の他方のファスナ片Ｆ5 をスライダ１２で閉じて両ファスナ片Ｆ4 、Ｆ5 を引っ付けた状態にして、ポケット２内部に衣類収納袋３を収納しておく。また、ポケット２の開口部６のファスナ片Ｆ2 、Ｆ2 はスライダ７で閉じておく。
【００３１】
そして、この状態のバッグ本体１の天面部１ｂのファスナ片Ｆ1 、Ｆ1 をスライダ５で開き、開口部４から着替えの衣類（図示せず）とその他の収納物（図示せず）をバッグ本体１内に収納し、前記ファスナ片Ｆ1 、Ｆ1 をスライダ５で閉じると、バッグ本体１は図１、２に示したような状態となる。
【００３２】
次に、出張先や旅行先、合宿先などにおいて、バッグ本体１の天面部１ｂのファスナ片Ｆ1 、Ｆ1 をスライダ５で開き、収納部Ｓ1 から着替えの衣類を取り出し着用する。そして、着用後に汚れた衣類Ｗは、ポケット２の開口部６のファスナ片Ｆ2 、Ｆ2 をスライダ７で開き、このポケット２内に収納した衣類収納袋３内に入れる。すると、バッグ本体１の収納部Ｓ1 は、その着替えの衣類を取り出した分だけ縮み、ポケット２の空間部Ｓ2 は、その汚れた衣類Ｗを入れた分だけ膨らむので、バッグ本体１は図３に示したような状態となり、バッグ本体１の全体形状は変形しないものとなる。
【００３３】
さらに、前記ポケット２のファスナ片Ｆ3 と衣類収納袋３の一方のファスナ片Ｆ5 をスライダ１０で開いて、ファスナ片Ｆ3 、Ｆ5 を外し、ポケット２のファスナ片Ｆ4 と衣類収納袋３の他方のファスナ片Ｆ5 をスライダ１２で開いて、ファスナ片Ｆ4 、Ｆ5 を外した状態にして、衣類収納袋３をポケット２内部から取り出す。
【００３４】
そして、この衣類収納袋３の開口部１１から汚れた衣類Ｗを取り出して洗濯機に放り込めば、その汚れた衣類Ｗを洗うことができる。また、衣類収納袋３を洗濯用袋とした場合には、この取り出した衣類収納袋３の開口部１１の一方のファスナ片Ｆ5 と他方のファスナ片Ｆ5 をスライダ１２で引っ付けて開口部１１を閉め、この衣類収納袋３を洗濯機に放り込めば、汚れた衣類Ｗを衣類収納袋３ごと洗うことができる。
【００３５】
また、前記ポケット２から汚れた衣類Ｗの入った衣類収納袋３を取り出せば、図４に示したような状態となり、ポケット２の空間部Ｓ2 は押しつぶされて平たくなり、バッグ本体１の収納部Ｓ1 はその衣類収納袋３を取り出した分、容量が増えることになる。なお、この発明のバッグは、図４に示したようなポケット２から汚れた衣類Ｗの入った衣類収納袋３を取り出した状態、すなわちポケット２に衣類収納袋３を収納していない状態で使用することもできるのは言うまでもない。
【００３６】
したがって、この発明のバッグでは、着替えて汚れた衣類Ｗは衣類収納袋３に入れてポケット２に収納されており、その他の収納物はバッグ本体１内に収納されているので、これらを分別して取り出し易いものとなり、さらに着替えて汚れた衣類Ｗの入った衣類収納袋３とその他の収納物は隔離されているので、衛生的であるとともに、その他の収納物を出し入れするときに、その衣類収納袋３が目に付かず、不快感を覚えるようなこともない。また、着替えの衣類を取り出した分、バッグ本体１の収納部Ｓ1 を縮めることができ、その収納部Ｓ1 を縮めた分、ポケット２の空間部Ｓ2 を膨らますことができるので、汚れた衣類の量が多い少ないにかかわらず、バッグ本体１の形状が変形することなく、バッグが不格好になるということもない。
【００３７】
なお、この発明のバッグは、図１〜４に示したスポーツバッグに限定されるものではなく、図６に示したようなショルダーバッグ、図７に示したような背負いバッグ、図８に示したような手提げバッグなどの各種のバッグとして実施できるものであり、またバッグ本体１の素材も限定されることなく、ソフトな材質やハードな材質のものを任意に選択して実施することができる。
【図面の簡単な説明】
【００３８】
【図１】この発明のバッグの一実施形態を示す斜視図である。
【図２】図１に示すこの発明のバッグのポケット内部に、空の衣類収納袋を収納した状態の断面図である。
【図３】図１に示すこの発明のバッグのポケット内部に、汚れた衣類を入れた衣類収納袋を収納した状態の断面図である。
【図４】図１に示すこの発明のバッグのポケット内部から、衣類収納袋を取り出した状態の断面図である。
【図５】この発明のバッグのポケット内部から取り出した状態の衣類収納袋の斜視図である。
【図６】この発明のバッグの他の実施形態を示す斜視図である。
【図７】この発明のバッグのさらに他の実施形態を示す斜視図である。
【図８】この発明のバッグのさらに他の実施形態を示す斜視図である。
【図９】従来のバッグの一例を示す断面図である。
【図１０】従来のバッグの他の例を示しており、（ａ）はバッグ本体の収納部内に何も入れていない状態の断面図であり、（ｂ）はバッグ本体の収納部内に物を入れた状態の断面図である。
【図１１】従来の洗濯用袋の一例を示す断面図である。
【図１２】従来の洗濯用袋の他の例を示す断面図である。
【符号の説明】
【００３９】
１  バッグ本体
１ａ  側部
２  ポケット
３  衣類収納袋
６  開口部
８  内生地
１０  スライダ
１１  開口部
１２  スライダ
Ｆ3 ファスナ片
Ｆ4 ファスナ片
Ｆ5 ファスナ片
Ｓ1 収納部
Ｓ2 空間部
Ｗ  汚れた衣類
【図１】
2005304957.tif 000003
【図２】
2005304957.tif 000004
【図３】
2005304957.tif 000005
【図４】
2005304957.tif 000006
【図５】
2005304957.tif 000007
【図６】
2005304957.tif 000008
【図７】
2005304957.tif 000009
【図８】
2005304957.tif 000010
【図９】
2005304957.tif 000011
【図１０】
2005304957.tif 000012
【図１１】
2005304957.tif 000013
【図１２】
2005304957.tif 000014